(57)【要約】【課題】極めて簡単な構造により逆火を確実に防止することができ、火口を細く形成して、特に精密な貴金属部品の加工やロウ付けに好適な逆火防止ガストーチを提供するものである。【解決手段】パイプ状に形成され、内側にガス流路を形成した把持部２に流量調整バルブ３を取付け、把持部２の先端側に流量調整バルブ３とノズル４を介して火口５を設けると共に、後端側にガス供給ホース８を取付けたガストーチにおいて、前記把持部２の内側のガス流路９に、一端側を開口した多孔質のセラミック円筒体１０を、その開口部１２を火口５側に向けて挿着し、その背面側をコイルスプリング１１で支持したものである。【選択図】  図１
2005127583.tif 000002
【特許請求の範囲】
【請求項１】
パイプ状に形成され、内側にガス流路を形成した把持部に流量調整バルブを取付け、把持部の先端側に火口を設けると共に、後端側にガス供給ホースを取付けたガストーチにおいて、前記把持部の内側のガス流路に、一端側を開口した多孔質のセラミック円筒体を、その開口部を火口側に向けて挿着したことを特徴とする逆火防止ガストーチ。
【請求項２】
把持部の内側のガス流路に挿着したセラミック円筒体のガス供給ホース側にコイルスプリングを設けて、円筒体の背面側を弾性的に押圧して円筒体を把持部の内側に保持したことを特徴とする請求項１記載の逆火防止ガストーチ。
【請求項３】
把持部の先端側に流量調整バルブを介して火口を設けたことを特徴とする請求項１記載の逆火防止ガストーチ。
【発明の詳細な説明】
【技術分野】
【０００１】
本発明は、逆火を防止したガストーチに関するものである。
【背景技術】
【０００２】
一般に金属の加熱や溶断にガストーチが使用されている。この燃料としては水素ガスや天然ガスが使用されている。ガストーチを使用して作業している場合、種々の原因でトーチ内で着火する逆火が発生することがある。逆火が発生するとガストーチが加熱されて溶接部が損傷したりガスを供給するホースが損傷する危険性がある。このため、従来は火口を囲むようにバネガイドや、カゴ状のガイドを火口の先端から突出するように取付けて、火口の先端が加熱された金属に接触しないように形成したものもある（例えば特許文献１）。
【０００３】
しかしながら、この構造では火口を囲むようにガイドが取付けられて火口の先端側が太くなっているので、精密な貴金属部品を加熱する場合には、微細な部分を局部的に加熱することが難しく、またガス圧の低下による逆火は防止できない問題があった。
【特許文献１】特開２００１−２５９８２９号公報
【発明の開示】
【発明が解決しようとする課題】
【０００４】
本発明は上記問題を改善し、極めて簡単な構造により逆火を確実に防止することができ、火口を細く形成して、特に精密な貴金属部品の加工に好適な逆火防止ガストーチを提供するものである。
【課題を解決するための手段】
【０００５】
本発明の請求項１記載の逆火防止ガストーチは、パイプ状に形成され、内側にガス流路を形成した把持部に流量調整バルブを取付け、把持部の先端側に火口を設けると共に、後端側にガス供給ホースを取付けたガストーチにおいて、前記把持部の内側のガス流路に、一端側を開口した多孔質のセラミック円筒体を、その開口部を火口側に向けて挿着したことを特徴とするものである。
【０００６】
本発明の請求項２記載の逆火防止ガストーチは、把持部の内側のガス流路に挿着したセラミック円筒体のガス供給ホース側にコイルスプリングを設けて、円筒体の背面側を弾性的に押圧して円筒体を把持部の内側に保持したことを特徴とするものである。
【０００７】
本発明の請求項３記載の逆火防止ガストーチは、把持部の先端側に流量調整バルブを介して火口を設けたことを特徴とするものである。
【発明の効果】
【０００８】
本発明に係る請求項１記載の逆火防止ガストーチによれば、把持部内の先端側には、開口部を火口側に向けて挿着した多孔質のセラミック円筒体が取付けられているので、逆火が発生した場合、逆流した炎は、セラミック円筒体の開口部から中空部内に入るが、多孔質のセラミック円筒体を通過することがなく、ここで遮蔽され、炎がガス供給ホースまで達せず焼損を防止することができる。
【０００９】
また請求項２記載の逆火防止ガストーチによれば、把持部の内側のガス流路に挿着したセラミック円筒体のガス供給ホース側にコイルスプリングを設けて、円筒体の背面側を弾性的に押圧して円筒体を把持部の内側に保持したので、衝撃により破損し易いセラミック円筒体を把持部内に支持して振動が加わっても、破損を防止することができる。
【００１０】
また請求項３記載の逆火防止ガストーチによれば、把持部の先端側に流量調整バルブを介して火口を設けたので、逆火防止ガストーチを片手に持ったまま、把持部の先端に取付けたバルブのつまみ部を指で回転させることにより燃焼状態を調整できるので、作業性に優れている。
【発明を実施するための最良の形態】
【００１１】
逆火を確実に防止して、精密な貴金属部品の曲げ加工やロウ付けなどに好適な逆火防止ガストーチを実現した。
【００１２】
以下本発明の実施例を図１ないし図３を参照して詳細に説明する。図において１は逆火防止ガストーチを示すもので、これはパイプ状に形成された把持部２の先端に、流量調整バルブ３が取付けられ、更にこの先端に湾曲したノズル４を介して注射針状の火口５が着脱自在に取付けられている。前記把持部２の後端側にはホース取付部７が突設され、ここにガス供給ホース８が接続されている。
【００１３】
パイプ状に形成された前記把持部２は、この内側にガス流路９が形成され、ここに多孔質のセラミック円筒体１０とコイルスプリング１１が挿着されて、セラミック円筒体の背面側を弾性的に押圧して把持部２の内側に保持されている。また前記セラミック円筒体１０は、その一端側が開口され、他端側が閉塞された中空部１３が形成され、その開口部１２をガスが噴出する火口５側に向けて把持部２の内側に挿着されている。また中空部１３の内径は例えば５ｍｍ、長さが２０ｍｍ程度に形成されている。
【００１４】
またセラミック円筒体１０の外径はガス流路９の内径より僅かに小さく形成され、また把持部２の長さは、手に持ち易いように約８ｃｍ程度に形成されている。また把持部２の先端に取付けられた流量調整バルブ３は、そのつまみ部１４が下向きになうように取付けられている。
【００１５】
上記構成の逆火防止ガストーチ１は、精密な貴金属部品を加熱して曲げ加工を行なう場合やロウ付けを行なう場合、ガス供給ホース８を、例えば水素と酸素の混合ガスを発生する電気分解装置に接続する。この電気分解装置は、水に少量の電解物質を添加した電解槽内に、複数の電極を挿入し、両端の電極に直流電流を供給して電解することにより酸素と水素の混合ガスを発生させるものである。
【００１６】
先ず図３に示すように手１６に逆火防止ガストーチ１を持って、指で流量調整バルブ３のつまみ部１４を回転させて開放すると、電気分解装置で発生した水素と酸素の混合ガスがガス供給ホース８から把持部２のガス流路９内に流入し、多孔質のセラミック円筒体１０を通過して、流量調整バルブ３、ノズル４を通って火口５から噴出する。
【００１７】
この状態で火口５の先端に着火すると水素ガスが燃焼して炎１５が吹き出す。この炎１５を貴金属部品の加熱部分に当てると、注射針状の細い火口５から吹き出した炎１５により局部的に加熱することができる。また把持部２は手１６でつかみ易い長さに形成され、また火力を調整する場合は、逆火防止ガストーチ１を片手に持ったまま、把持部２の先端下方に取付けたつまみ部１４を指で回転させることにより調整できるので、作業性に優れている。
【００１８】
電気分解装置で発生した水素と酸素の混合ガスのガス圧が低くなったような場合、炎１５が火口５からノズル４、流量調整バルブ３を通って把持部２内に逆流する逆火が発生することがある。この場合、把持部２内の先端側には、開口部１２を火口５側に向けて挿着した多孔質のセラミック円筒体１０が取付けられているので、逆流した炎１５は、開口部１２から中空部１３内に入るが、多孔質のセラミック円筒体１０を通過することがなくここで遮断され、炎１５がコイルスプリング１１側に達することはなくガス供給ホース８の焼損を防止することができる。
【００１９】
この理由については不明であるが、炎１５が逆流しても、温度の低い多孔質のセラミック円筒体１０を通過する時に、ここで冷却されて炎１５が消えるためコイルスプリング１１側には達しないからであると考えられる。
【００２０】
また多孔質のセラミック円筒体１０は衝撃により破損し易いが、コイルスプリング１１により背面側から弾性的に押圧されて把持部２内に支持されているので、逆火防止ガストーチ１を手に持って振動が加わっても、破損を防止することができる。
【００２１】
なおノズル４は流量調整バルブ３に回転自在に取付けて、つまみ部１４を上方に位置させて作業しても良い。また注射針状の火口５は内径の異なるものを多数用意しておき、火力に応じて炎１５を調整するようにしても良い。
【産業上の利用可能性】
【００２２】
なお上記説明では貴金属部品の加工に多く使用されている、電気分解装置で発生した水素と酸素の混合ガスを燃焼させる逆火防止ガストーチ１の場合について説明したが、水素と酸素を別個に供給して燃焼温度を高めるようにしたガストーチや、アセチレンガスやプロパンガスと酸素を別個に供給して燃焼させるガストーチについても、同様にセラミック円筒体１０を取付けることにより逆火を防止することができる。
【図面の簡単な説明】
【００２３】
【図１】本発明の実施例による逆火防止ガストーチの断面図である。
【図２】図１のセラミック円筒体挿着部分を拡大して示す断面図である。
【図３】逆火防止ガストーチの使用状態を示す斜視図である。
【符号の説明】
【００２４】
１    逆火防止ガストーチ                                    
２    把持部                                                
３    流量調整バルブ                                        
４    ノズル                                                
５    火口                                                  
７    ホース取付部                                          
８    ガス供給ホース                                        
９    ガス流路                                              
１０  セラミック円筒体                                      
１１  コイルスプリング                                      
１２  開口部                                                
１３  中空部                                                
１４  つまみ部                                              
１５  炎                                                    
【図１】
2005127583.tif 000003
【図２】
2005127583.tif 000004
【図３】
2005127583.tif 000005